(57)【要約】【課題】  遊技島が多数設けられた遊技店で補給装置間の接続に関する設定作業を簡易化し、かつ設定ミスの発生を防止する。【解決手段】  メダルをスロットマシンやメダル貸機から回収し、回収メダルを貯留する複数台のメダル補給装置４間に島渡しコンベヤ２２が掛け渡されている。メダル補給装置４は、自己と他のメダル補給装置４との島渡しコンベヤ２２による接続関係を、設定する。メダル補給装置４のうち１台を親機と、他を子機として、通信可能に構成してある。親機は、設定された接続関係に関するデータを通信によって収集し、設定されている接続関係の整合性をチェックする。【選択図】        図１
2006130043.tif 000002
【特許請求の範囲】
【請求項１】
遊技媒体を回収する回収手段と、回収された前記遊技媒体を貯留する貯留手段と、設定手段とを、有する複数台の遊技媒体貯留装置と、
これら遊技媒体貯留装置のうち、少なくとも２台の遊技媒体貯留装置間に掛け渡されて、前記少なくとも２台の遊技媒体貯留装置間を接続し、少なくとも一方の遊技媒体貯留装置の前記貯留手段から他方の遊技媒体貯留装置に前記遊技媒体を搬送する搬送手段とを、
具備した遊技媒体処理装置において、
前記各遊技媒体貯留装置は、自己の遊技媒体貯留装置と他の遊技媒体貯留装置との前記搬送手段による接続関係を、自己の前記設定手段によって設定可能とされ、
前記各遊技媒体貯留装置のうち１台を親機とし、他の前記遊技媒体貯留装置を子機として、前記親機及び子機間で通信可能に構成し、
前記親機は、前記設定された接続関係に関するデータを前記通信によって収集し、前記設定されている接続関係の整合性をチェックする制御手段を有する
遊技媒体処理装置。
【請求項２】
請求項１記載の遊技媒体処理装置において、前記接続関係は、前記搬送手段の種類、搬送手段の接続形状のうち少なくとも１つを含む遊技媒体処理装置。
【請求項３】
請求項１または２記載の遊技媒体処理装置において、前記制御手段は、前記接続関係の整合性チェックにより不整合を検出したとき、不整合となる装置を特定した情報を出力する遊技媒体処理装置。
【発明の詳細な説明】
【技術分野】
【０００１】
本発明は、複数の遊技機、例えばスロットマシンやパチンコ機、及び遊技媒体貸機、例えばメダル貸機やパチンコ玉貸機のような遊技媒体使用機に、遊技媒体、例えばメダルやパチンコ玉を、補給するために遊技媒体を貯留している遊技媒体貯留装置間で遊技媒体を搬送する遊技媒体処理装置に関する。
【背景技術】
【０００２】
遊技機は、一般に遊技島に設置されている。遊技島は、通常複数設置されている。これら遊技島における遊技媒体の貯留量を均等にするために、遊技島間で遊技媒体を搬送することが行われている。この搬送を行えるようにした遊技媒体処理装置の例が特許文献１に開示されている。この遊技媒体処理装置では、２つの遊技島それぞれに設けた遊技媒体の補給装置間に島渡しコンベヤが設けられている。一方の補給装置が遊技媒体の送り出し側、他方の補給装置が受け入れ側と予め接続関係が定められ、両補給装置の遊技媒体の補給量の比較結果を含む条件が満たされたとき、送り出し側補給装置から島渡しコンベヤを介して受け入れ側補給装置に遊技媒体が搬送される。
【０００３】
【特許文献１】２００３−２８４８５８号
【発明の開示】
【発明が解決しようとする課題】
【０００４】
上記特許文献１の技術では、２台の補給装置のうち一方を送り出し側、他方を受入側と予め定めている。この定めに従って補給装置を動作させるためには、このような接続関係を各補給装置に設定する必要がある。そのため、各補給装置のうち１台を親機として、この親機において纏めて全ての接続関係を設定することが行われていた。
【０００５】
しかし、近年、遊技島を十数台も有する大型の遊技店が多くなっている。このような遊技店では、上記の接続関係を１台の親機において行うとすると、接続関係のパターン数が膨大となり、設定作業が繁雑で設定ミスも多くなっている。また、設定ミスを防止するために、各遊技島の補給装置間の島渡しコンベヤによる接続関係を目視で確認しながら個別に設定することも考えられる。しかし、この場合、各補給装置で行った設定のいずれかに間違いがあると、正常な島間搬送が実行できなくなる。しかも、各補給装置で接続関係の設定を個別に行っているので、どの補給装置において設定間違いが生じているのかを特定することが困難になる。
【０００６】
本発明は、遊技島が多数設けられた遊技店であっても、補給装置間の接続に関する設定作業を簡易化し、かつ設定ミスの発生を防止する遊技媒体処理装置を提供することを目的とする。
【課題を解決するための手段】
【０００７】
本発明による遊技媒体処理装置は、複数台の遊技媒体貯留装置を有している。これら遊技媒体貯留装置は、例えばそれぞれが遊技島に設置されている。これら遊技媒体貯留装置は、遊技媒体、例えばメダルやパチンコ玉を遊技媒体使用機、例えばスロットマシンやパチンコ機のような遊技機またはメダル貸機またはパチンコ玉貸機ような遊技媒体貸機から回収する回収手段を有している。回収手段は、上述した遊技媒体使用機以外から遊技媒体を回収することもある。例えばこの遊技媒体貯留装置に、遊技媒体の計数装置が接続されている場合、この計数装置から、計数終了した遊技媒体が遊技媒体貯留装置に送り込まれ、遊技媒体は貯留される。この遊技媒体貯留装置は、更に、回収された前記遊技媒体を貯留する貯留手段を有している。また遊技媒体貯留装置は、後述するような設定を行うための設定手段も有している。これら遊技媒体貯留装置のうち、少なくとも２台の遊技媒体貯留装置間に搬送手段が掛け渡されて、前記少なくとも２台の遊技媒体貯留装置間を接続している。この搬送手段によって、少なくとも一方の遊技媒体貯留装置の前記貯留手段から他方の遊技媒体貯留装置に前記遊技媒体が搬送される。前記各遊技媒体貯留装置は、自己の遊技媒体貯留装置と他の遊技媒体貯留装置との前記搬送手段による接続関係を、自己の前記設定手段によって設定可能とされている。例えば、或る貯留装置から搬送手段を介して他の貯留装置に常に送り出す場合、即ち単方向の搬送の場合には、送り出し側の貯留装置の識別情報と受け入れ側の貯留装置の識別情報とを、どちらが送り出し側でどちらが受け入れ側であるかを判る状態で設定する。受け入れ側の貯留装置でも同様に設定する。或いは、２つの貯留装置において、いずれの貯留装置からも他方の貯留装置に遊技媒体を搬送する双方向の場合、その旨を設定する。或いは単方向または双方向での搬送であるが、貯留装置の配置位置の関係上、１台の搬送手段では接続が困難なため、２以上の搬送手段が使用されるような場合には、送り側と受け入れ側の貯留装置の識別情報の他にどの搬送手段とどの搬送手段とが使用されるかを表す情報も設定する。前記各遊技媒体貯留装置のうち１台を親機とし、他の前記遊技媒体貯留装置を子機として、前記親機及び子機間で通信可能に構成されている。前記親機は、前記設定された接続関係に関するデータを前記通信によって前記子機から収集し、前記設定されている接続関係の整合性をチェックする制御手段を有している。
【０００８】
このように構成された遊技媒体処理装置によれば、各遊技媒体貯留装置において、設定手段によって他の貯留装置との搬送手段を介しての接続関係を設定する。この設定は、各遊技媒体貯留装置の近傍で、実際に搬送手段がどの貯留装置と貯留装置との間に設けられているか目視で確認しながら行えるので、設定間違いを極力少なくできる。更に、親機は、これら接続関係のデータを収集し、接続関係の整合性をチェックするので、不整合がある場合には、どの遊技媒体貯留装置での設定間違いであるかを容易に特定でき、速やかに設定の修正を行うことができる。
【０００９】
前記接続関係は、上述したように各貯留装置の識別情報を含み、さらに、前記搬送手段の種類、例えば上述したように単方向に搬送するか双方向に搬送するかの種類情報と、搬送手段の接続形状、例えば１本の搬送手段であるのか、２本以上の搬送手段であるのか、その接続順序等の形状情報のうち少なくとも１つを含むことがある。
【００１０】
或いは、前記制御手段は、前記接続関係の整合性チェックにより不整合を検出したとき、不整合となる装置を特定した情報を出力することもできる。この出力された情報を見ることによって設定間違いの修正を速やかに行える。
【発明の効果】
【００１１】
以上のように、本発明によれば、遊技媒体貯留装置が多数設けられた場合でも、搬送手段による貯留装置間の接続に関する設定作業を簡易化できる上に、その設定に間違いがあっても容易に発見することができる。
【発明を実施するための最良の形態】
【００１２】
本発明の１実施形態の遊技媒体処理装置は、図１に示す遊技島２ごとに設けられている。各遊技島２は、複数台の遊技媒体使用機、例えば遊技機と遊技媒体貸出機とを備えている。遊技機としては、例えばスロットマシン６が使用され、スロットマシン６は横方向に一列に配置されている。遊技媒体貸機、例えばメダル貸機８は、１台または２台のスロットマシン６に対して１台の割合で上記列内に配置されている。遊技島２には、図１に示すように両側にスロットマシン６を並べた両島と呼ばれる型のものと、図示していないが、片側のみにスロットマシン６を並べた片島と呼ばれる型のものとがある。必要に応じていずれかの形態の遊技島２が使用される。遊技店では、図１に示すような３台だけではなく、更に多くの遊技島２が様々なレイアウトで設けられている。
【００１３】
各遊技島２の一方の端部に、遊技媒体貯留装置、例えばメダル補給装置４ａ、４ｂの一方が設けられている。メダル補給装置４ａは、メダル計数機１０を載置するための載置台１２を備えたもので、メダル補給装置４ｂは載置台１２を備えていないものである。以下、両方のメダル補給装置４ａ、４ｂを総称するときにはメダル補給装置４と記載する。
【００１４】
この実施の形態では、中央の遊技島２にメダル補給装置４ｂが配置され、その両側の遊技島２にメダル補給装置４ａが配置されている。メダル補給装置４ａとメダル補給装置４ｂとの間には、搬送手段、例えば島渡しコンベヤ２２が掛け渡されている。
【００１５】
メダル補給装置４ａでは、図２に示すように、スロットマシン６とメダル貸機８との下方に、これらの配列方向に沿って回収コンベヤ２４が、ほぼ水平に配置されている。回収コンベヤ２４は、遊技島２の一端部から他端部まで配置されている。各スロットマシン６やメダル貸機８からオーバーフローしたメダルは、回収コンベヤ２４上に排出され、メダル補給装置４ａが配置されている遊技島２の端部まで回収コンベヤ２４によって搬送される。一端まで搬送されたメダルは、メダル補給装置４ａ内の回収リフト２６によって揚送され、載置台１２内の下タンク２８内に投入される。また、遊技者が計数機１０に投入したメダルも下タンク２８に投入される。
【００１６】
下タンク２８内のメダルは、下タンク２８の下方に設置された洗浄ユニット３０に一定量ずつ投入される。洗浄ユニット３０で洗浄されたメダルは、洗浄ユニット３０の背後に立設されたメインリフト３２によって揚送され、揚送されたメダルは、分岐装置２１によって、島渡しコンベヤ２２または補給タンク４４に払い出される。
【００１７】
補給タンク４４に払い出されたメダルは、この補給タンク４４に一時的に貯留され、スロットマシン６やメダル貸機８からの補給要求信号、例えばエンプティ信号に応じて一定量ずつ無端状搬送手段、例えば補給コンベヤ４６に払い出される。補給コンベヤ４６は、遊技島４において、スロットマシン６及びメダル貸機８の上部に、その配列方向に沿ってほぼ水平に一端部から他端まで配置され、その搬送面、例えば上面でメダルを支持して搬送する。補給コンベヤ４６上には、スロットマシン６及びメダル貸機８に対応させて、ほぼ等間隔に分岐ユニット４８が配置されている。分岐ユニット４８は、エンプティ信号を発生しているスロットマシン６またはメダル貸機８に対応するものが作動する。分岐ユニット４８は、作動時に、補給コンベヤ４６上を搬送されるメダルを、分岐ユニット４８が対応するスロットマシン６またはメダル貸機８に分岐排出する。
【００１８】
補給コンベヤ４６上には、複数台の中継制御ボックス５０が、所定の間隔をおいて配置されている。中継制御ボックス５０内には、中継制御部７４が設置されている。この中継制御部７４は、１台当たり複数台、例えば８台の分岐ユニット４８を管理制御する。
【００１９】
一方、分岐装置２１から島渡しコンベヤ２２に払い出されたメダルは、図３に示すように隣接する遊技島２のメダル補給装置４ｂまで搬送され、隣接する遊技島のメダル補給装置４ｂの補給タンク４４に投入される。逆に、メダル補給装置４ｂの分岐装置２１から島渡しコンベヤ２２を介してメダル補給装置４ｂの補給タンク４４に投入することも可能である。なお、この実施の形態では、メダル補給装置４ｂが、両側にある島渡しコンベヤ２２を介してメダル補給装置４ａ、４ａのいずれからもメダルの補給を受けることが可能である。
【００２０】
補給タンク４４が満杯になったとき、補給タンク４４に払い出されたメダルは、補給タンク４４をオーバーフローし、上タンク３４に投入される。上タンク３４に投入されたメダルは、バケット３８またはメインリフト３２に選択的に払い出される。バケット３８は、メダルを収容可能な取手付きの容器であって、スロットマシン６やメダル貸機８に手作業でメダルを補給する必要が生じたときに使用するもので、メダル補給装置４の側面に設けた扉を開いて、取り出し可能である。これら回収コンベヤ２４、回収リフト２６、計数機１０等が回収手段を構成し、下タンク２８、上タンク３４、補給タンク４４が貯留手段を構成している。メダル補給装置４ｂも、計数機１０を備えていない以外、メダル補給装置４ａと同様に構成されている。なお、場合によっては、図３に示すようにメダル補給装置４ｂには、洗浄ユニット３０を備えていない場合もある。
【００２１】
補給装置４ａ、４ｂの上部扉を開くと、図４に示すように、表示装置６６が設けられている。その側部に操作子群５２が設けられている。表示装置６６は、例えば液晶表示装置を使用したもので、各種設定の際の操作手順や測定結果を表示したり、装置の稼働状況等を表示したりする。操作子群５２は、例えばテンキー５４、上矢印キー５６、下矢印キー５８、設定キー６０、解除キー６２を有し、これらからやや離れた位置に終了キー６４を有している。
【００２２】
図５に示すように制御手段、例えば制御部６８が、各メダル補給装置４ａ、４ｂに設けられている。制御部６８は、自島のスロットマシン６、メダル貸機８およびメダル計数機１０からのメダル回収及び補給、洗浄ユニット３０によるメダルの洗浄、他の島へのメダル補給などを制御する。制御部６８は、ＣＰＵ、メモリ、タイマー等からなる。制御部６８には、設定データを入力したり、稼働記録を出力したりするデータ入出力装置６９、例えばＩＣカードリーダライターが接続されている。制御部６８は、回収コンベヤ２４、回収リフト２６、洗浄ユニット３０、メインリフト３２、上タンク３４、補給タンク４４、島渡しコンベヤ２２、補給コンベヤ４６等の駆動手段からなる駆動手段群７０を、これらに設けたセンサからなるセンサ群７２からの信号を受けて制御する。制御部６８には、操作子群５２及び表示装置６６が接続され、各種条件の設定やエラーメッセージ等の表示を行う。
【００２３】
更に、制御部６８は、各中継制御部７４と双方向通信を行い、各スロットマシン６及びメダル貸機８へのメダル補給制御を行う。なお、制御部６８は、他の島にメダル補給装置４の制御部６８と双方向通信を行うようにも構成されている。
【００２４】
図６は、メダル補給装置４の動作を示す状態遷移図である。同図において、メダル補給装置４に電源が供給されると、イニシャル処理（ステップＳ２）が実行される。この処理は、本願発明には直接関連しないので詳細な説明は省略する。
【００２５】
イニシャル処理に続いて、初期設定処理（ステップＳ６）が実行される。この初期設定処理では、操作子群５２と表示装置６６とを使用して、中継制御部７４の設定、不正対策処理の設定等が行われ、またデータ入出力装置６９を用いて、予め用意した設定データを読み込んで、初期設定を実行することもできる。
【００２６】
この初期設定処理では、この他に本体設定が行われる。本体設定は、設定が行われているメダル補給装置４が計数機１０や洗浄ユニット３０を備えているかを設定するものである。
【００２７】
次にアドレス設定が行われる。遊技店内に設定されているメダル補給装置４には、その
管理のために識別情報、例えばアドレスが設定される。さらに、複数のメダル補給装置４が設置される場合には、メダル補給装置４を複数のグループに分割し、各グループにおいて１台を親機、その他を子機に設定し、管理する。例えば図７に示すように、３台の遊技島２を並列に設置し、更に２台の遊技島２を対向させて配置したと仮定する。さらに隣接する遊技島４の端部に設置したメダル補給装置４Ａ、４Ｂ、４Ｃが２台の島渡しコンベヤ２２で接続され、メダル補給装置４Ｄ、４Ｅも１台の島渡しコンベヤ２２で接続され、メダル補給装置４Ｃ、４Ｄ間が島渡しコンベヤ２２で接続され、メダル補給装置４Ａ、４Ｂ、４Ｃがグループ１を構成し、メダル補給装置４Ｃ、４Ｄ、４Ｅがグループ２を構成すると仮定する。この場合、各メダル補給装置４Ａ乃至４Ｅに設定されるアドレスは、それぞれグループ名を含んだものとされる。また、同じグループに属するメダル補給装置のうち１台が親機と、他が子機と設定される。また、各グループを構成するメダル補給装置の台数も設定される。なお、メダル補給装置４Ｃのように異なる２つのグループに属するメダル補給装置では、両グループのアドレスが必要となるので、アドレスが２つ設定される。なお、この２つのグループに属するメダル補給装置は、制御部６８の処理分散を考慮すれば、親機とはならず常に子機に設定されることが望ましい。
【００２８】
次に島渡し設定が行われる。遊技店内において複数のメダル補給装置が設置されている場合、各メダル補給装置４のメダル貯留量を均等にするために、メダル補給装置間で島渡しコンベヤ２２を使用して、メダルの受け渡しが行われる。島渡しコンベヤ２２の接続パターンとしては種々のものが考えられ、予め設定されている複数のパターンのうちいずれに該当するか、いずれのメダル補給装置４に島渡しコンベヤを介して接続されているかを設定する。
【００２９】
まず、各メダル補給装置４において、島渡し方向（接続される島渡しコンベヤの本数）を設定する。例えば島渡し無し（接続本数０）、片側への島渡し（接続本数１、例えばメダル補給装置４Ａが該当、）両側への島渡し（接続本数２、例えばメダル補給装置４Ｂが該当）のいずれかかが設定される。次に接続される島渡しコンベヤの接続パターンを設定する。接続パターンには、一方向のみに搬送可能なコンベヤ１本で接続する場合や、双方向の１本のコンベヤで接続する場合、複数のコンベヤを連結して接続する場合、複数のコンベヤを連結しかつ搬送方向を分岐させ２台のメダル補給装置に接続する場合、さらにコンベヤの制御をどの補給装置で行うかなどによって、非常に多くのパターンが考えられる。これらパターンのうち実用可能な接続パターンを複数、例えば１０パターンほど予め用意しておき、その中から選択することによって設定する。次に、島渡しコンベヤ２２を介して接続されるメダル補給装置４のアドレスを設定する。両側への島渡し（接続本数２）または共有子機である補給装置４では、上記の設定を２回行う。
【００３０】
例えば図７に示すメダル補給装置４Ｂ、４Ｃを例にして各設定について詳細に説明する。
【００３１】
メダル補給装置４Ｂの場合、係員は、遊技店における各遊技島のレイアウト図面や実際に設置されたメダル補給装置を確認しながら、メダル補給装置４Ｂの操作子群５２と表示装置６６とを使用して、次の設定を行う。
【００３２】
本体設定では、例えば計数機あり、洗浄ユニットありと設定する。
【００３３】
アドレス設定では、例えばＡ−００と設定する。ここで、Ａはグループ１を表し、「００」がグループ内におけるメダル補給装置４Ｂのアドレスを表す。「００」は特に親機に対して設定すると予め定めている。従って、一々親機と言う設定を行う必要が無く、アドレスの設定によって自動的に親機の設定も行える。更にグループ内のメダル補給装置の台数を３と設定する。
【００３４】
島渡し設定では、両側への島渡し（接続本数２）と設定する。次に一方のメダル補給装置への接続パターンと接続相手のアドレスを設定する。例えばメダル補給装置４Ａへの接続であり、メダル補給装置４Ａからもメダルがメダル補給装置４Ｂに供給されることがあるとすると、双方向コンベヤで１対１の接続と設定され、接続相手のアドレスとしてメダル補給装置４ＡのアドレスＡ−０１を設定する（図６参照）。次に、他方のコンベヤのメダル補給装置４への接続パターンと接続相手のアドレスを設定する。例えばメダル補給装置４Ｃへの接続であり、メダル補給装置４Ｃからのメダルがメダル補給装置４Ｂに供給されることがあると、双方向コンベヤで１対１の接続と設定され、接続相手のアドレスとしてメダル補給装置４ＣのアドレスＡ−０２が設定される。
【００３５】
メダル補給装置４Ｃの場合、本体設定は例えば計数機無し、洗浄ユニットありと設定される。アドレス設定は、Ａ−０２とＢ−０１の２つが設定される。メダル補給装置４Ｃが共有子機であるので、２つのアドレスが設定される。Ｂはグループ２を表し、Ｂの後の「０１」はグループ２におけるメダル補給装置４Ｃのアドレスを表す。いずれのアドレスの番号部分が「００」でないので、子機として設定されている。従って、子機と特別に設定する必要がない。また、グループ本体数は、いずれのグループも３台であるので、グループごとに３と設定される。
【００３６】
島渡し設定では、この補給装置４Ｃはグループ１では片側への島渡しであり、グループ２においても片側への島渡しであるので、片側への島渡しと設定する。次にグループ１内でのコンベヤの接続パターンと接続相手のアドレスを設定する。具体的には、双方向コンベヤで１対１の接続で、接続相手のアドレスは「００」である。次にグループ２でのコンベヤの接続パターンと接続相手のアドレスとを設定する。具体的には双方向コンベヤで１対１の接続で、接続相手のアドレスは「００」である。
【００３７】
このようにして同じグループにおける全ての設定が終了すると、親機は、グループ内の子機の制御部６８から送信されてきた子機の設定データを収集し、島渡し設定に関して自己の設定データも併せて整合チェックを行う。例えば、親機であるメダル補給装置４Ｂは、図７においてメダル補給装置４Ｂの左側に接続されている島渡しコンベヤ２２について双方向コンベヤでアドレス０１のメダル補給装置４Ａに接続されていると設定されているが、メダル補給装置４Ａからの設定データにおいて、このコンベヤが双方向コンベヤでアドレス「００」のメダル補給装置４Ｂに接続されていると設定されているかをチェックする。メダル補給装置４Ｂは同様なチェックを、グループ内の全てのメダル補給装置４Ａ、４Ｂ、４Ｃについて行い、整合性に問題が無い場合には、各子機にその旨を通知し、正常運転が可能な状態となる。
【００３８】
もし、設定に不整合があると判定した場合には、対象となる子機にその旨を通知し、関連する島渡しコンベヤ２２を運転不可とすると共に、不整合な設定がなされた子機または親機の表示装置６６等に、設定の不整合があることと、その不整合の内容（例えば設定異常のある補給装置のアドレスや設定の種類）を出力する。
【００３９】
例えば、メダル補給装置４Ｃの設定に不整合がある場合、親機４Ｂからメダル補給装置４Ｃに不整合を示すデータが送信され、メダル補給装置４Ｃの表示装置６６には、「島渡し設定の不整合があります。Ａ−００との接続設定を確認して下さい。」というメッセージを表示する。また、親機であるメダル補給装置４Ｂの表示装置にも「Ａ−０２の補給装置に島渡し設定の不整合があります。確認して下さい。」というメッセージを表示する。このとき、メダル補給装置の外部に設けてある表示ランプ１８（図１参照）を点灯させて、設定間違いを報知するようにしてもよい。この場合、係員は、メダル補給装置４Ｃの操作子群５２を操作し、設定を修正する。設定の修正が行われると、新たな設定データが親機によって収集され、再度、整合性のチェックが行われる。
【００４０】
このようにして初期設定が行われると、待機中処理（ステップＳ８）に移行する。この待機中処理では、制御部６８は、回収リフト２６を動作させ、回収リフト２６が正常に動作していると、回収コンベヤ２４を動作させる。そして、状況の変化に応じて、動作確認処理（ステップＳ１０）、バケット払い出し処理（ステップＳ１２）、補給タンク補充処理（ステップＳ１４）、補給処理（ステップＳ１６）、島渡し処理（ステップＳ１８）、係員操作処理（ステップＳ２０）、停止処理（ステップＳ２２）のいずれかを実行する。
【００４１】
なお、整合性のチェックは、初期設定時のみではなく、初期設定が終了してから所定の時間が経過するごとに行われる。
【００４２】
上記の実施の形態では、遊技媒体としてメダルを使用するものについて説明したが、これに限ったものではなく、例えばパチンコ玉を使用するものについても本発明を実施することができる。
【図面の簡単な説明】
【００４３】
【図１】本発明の１実施形態のメダル処理装置を備えた遊技島の斜視図である。
【図２】図１の遊技島の側面図である。
【図３】図１の各遊技島の正面図である。
【図４】本発明の１実施形態によるメダル貯留装置の表示装置及び操作子群を示す図である。
【図５】図３のメダル貯留装置のブロック図である。
【図６】図３のメダル貯留装置の状態遷移図である。
【図７】遊技島の配置を示す平面図である。
【符号の説明】
【００４４】
２  遊技島
４  メダル補給装置（メダル供給装置）
２２  島渡しコンベヤ（搬送手段）
６８  制御部（制御手段）
【図１】
2006130043.tif 000003
【図２】
2006130043.tif 000004
【図３】
2006130043.tif 000005
【図４】
2006130043.tif 000006
【図５】
2006130043.tif 000007
【図６】
2006130043.tif 000008
【図７】
2006130043.tif 000009